(57)【特許請求の範囲】
【請求項１】
微物採取用具であって、
台紙と、
該台紙の一部又は全部に着脱自在に設けられた剥離シートと、
粘着面の両端に支持部を付けた透明粘着テープと、ここで、該透明粘着テープの粘着面の一部は、該剥離シートに貼着されており、該剥離シートが剥がされ前記微物が採取される、
該透明粘着テープの非粘着面の一部又は全部を覆う透明保護シートと、を含み、
微物採取時において該剥離シートの存在により台紙の汚染防止が可能となり、並びに、
微物採取後において該剥離シートを剥がして、該微物が付着した透明粘着テープの粘着面と該台紙の貼着により異物混入を防止可能であることを特徴とする、微物採取用具。
【請求項２】
前記剥離シートは前記台紙の一部のみに着脱自在に設けられており、並びに、前記支持部の一方が、該剥離シートが設けられていない台紙の部分に貼着されていることを特徴とする請求項１に記載の微物採取用具。
【請求項３】
前記微物が、組織片、細胞片、塗膜片、金属片、プラスチック片、及び／又は、繊維片である請求項１又は２に記載の微物採取用具。
【請求項４】
皮膚細胞、口腔内細胞、鼻汁斑、精液斑，白色繊維片が微物である場合には台紙の色は濃色であり、飛沫血痕、黒色短毛，黒色若しくは藍色繊維片が微物である場合には台紙の色は淡色であることを特徴とする請求項１〜３のいずれか１に記載の微物採取用具。
【発明の詳細な説明】
【技術分野】
【０００１】
本発明は、微物、特に犯罪現場などに遺留された微物を採取・搬送・保存するための用具に関するものである。
【背景技術】
【０００２】
近年、ＤＮＡ型鑑定の高度化に伴って、犯罪鑑識におけるＤＮＡ型鑑定の重要性が増している。また、ＤＮＡ検出感度の向上に伴って，微細な資料（接触資料）からの鑑定が急増している。
また、該資料の取り違え防止のために、立証措置の徹底、資料採取から搬送、保管、鑑定着手までの期間の厳密な管理が求められている。さらに、再鑑定に対する配慮から、鑑定残余の保存と適切な管理が義務づけられている。
【０００３】
従来、ＤＮＡ型鑑定のための資料採取は、蒸留水で湿らせた綿棒やガーゼ片、市販の粘着テープやリタックシートを用いて行われてきた。また、ポリウレタンゲルシートの粘着性を利用した微物採取用具を用いた方法も既に知られている（参照：特許文献１）。
【先行技術文献】
【特許文献】
【０００４】
【特許文献１】特開２０１１−１１７９１５号公報
【発明の概要】
【発明が解決しようとする課題】
【０００５】
蒸留水で湿らせた綿棒やガーゼ片による資料採取では、ＤＮＡ型鑑定に必要な細胞片は水に溶けないために、採取効率は低い。さらに、該資料採取では、乾燥した状態では粘着性がないため微量の資料を採取することは困難であった。
加えて、該資料採取では、水で湿った状態では細菌によるＤＮＡの分解が進行するため早期の乾燥が必要であり、乾燥時に異物が混入する可能性や資料を取り違える危険性があった。なお、採取された細胞数を確認することができないために、ＤＮＡ型鑑定の成否を判断することは困難であり、微量な資料を再鑑定用に残すことは不可能であった。
【０００６】
市販の粘着テープやリタックシートによる資料採取では、採取者が資料採取時に粘着面の一部を掴む必要があり、該採取者の細胞片が混入する可能性がある。また、資料採取後の粘着面を保護するため清浄なポリ袋などに収納する必要がある。しかし、粘着力があるため取り扱いが難しく、異物が付着しないように細心の注意が必要であった。さらに、粘着力が強い場合、一度採取された細胞を剥がすことは困難であり、粘着面の一部を切り取って鑑定する必要があり、該粘着面のみならず非粘着面にも異物が付着する危険性があった。
【０００７】
ポリウレタンゲルシートの粘着性を利用した微物採取用具による資料採取では、粘着力が比較的弱いために、陳旧で強固に付着した細胞片を採取することは困難である。
また、鑑定の際は、一度採取された微物を綿棒などで拭き取る操作が必要であり、操作が煩雑であると共に資料取り違えの危険性が生じる。さらに、微物採取用具に捕集された全ての細胞片をＤＮＡ型鑑定に利用することは不可能であり、資料の残量を確認し、保管することも困難であった．
【０００８】
本発明の課題は、上記資料採取の問題点を解決した微物採取用具を提供することである。より詳しくは、犯罪現場などに残存する微物、特にＤＮＡ型鑑定に必要な微細な細胞片を効率良く採取すると共に、他人の細胞が混入する危険性がなく、資料の取り違えが起こり難く、さらに資料残余の適正な管理と長期保存が可能な微物採取用具を提供することである。
【課題を解決するための手段】
【０００９】
本発明者らは、「台紙と、該台紙の一部又は全部に着脱自在に設けられた剥離シートと、粘着面の両端に支持部を付けた透明粘着テープと、ここで、該透明粘着テープの粘着面の一部が該剥離シートに貼着されており、該透明粘着テープの非粘着面の一部又は全部を覆う透明保護シートと、を含む微物採取用具」が上記課題を解決できることを確認して、本発明を完成するに至った。
【００１０】
すなわち、本発明は以下の通りである。
「１．微物採取用具であって、
台紙と、
該台紙の一部又は全部に着脱自在に設けられた剥離シートと、
粘着面の両端に支持部を付けた透明粘着テープと、ここで、該透明粘着テープの粘着面の一部が該剥離シートに貼着されており、
該透明粘着テープの非粘着面の一部又は全部を覆う透明保護シートと、を含み、
微物採取時において該剥離シートの存在により台紙の汚染防止が可能となり、並びに、  微物採取後において該剥離シートを剥がして、該微物が付着した透明粘着テープの粘着面と該台紙の貼着により異物混入を防止可能であることを特徴とする、微物採取用具。
２．前記剥離シートは前記台紙の一部のみに着脱自在に設けられており、並びに、前記支持部の一方が、該剥離シートが設けられていない台紙の部分に貼着されていることを特徴とする前項１に記載の微物採取用具。
３．前記微物が、細胞片、塗膜片、金属片、プラスチック片、及び／又は、繊維片である前項１又は２に記載の微物採取用具。
４．皮膚細胞、口腔内細胞、鼻汁斑、精液斑，白色繊維片が微物である場合には台紙の色は濃色であり、飛沫血痕、黒色短毛，黒色若しくは藍色繊維片が微物である場合には台紙の色は淡色であることを特徴とする前項１〜３のいずれか１に記載の微物採取用具。」
【発明の効果】
【００１１】
本発明の微物採取用具は、以下の効果を示す。
（１）支持部に一連番号や符号を記入することができるため、採取資料の特定が容易である。
（２）微物採取時において剥離シートの存在により台紙の汚染防止が可能である。
（３）微物採取後において剥離シートを剥がして、微物が付着した透明粘着テープの粘着面と台紙の貼着により異物混入を防止可能である。
（４）透明粘着テープの非粘着面の一部又は全部を覆う透明保護シートの存在により、資料が十分に採取できたかを容易に確認でき、さらには資料の残存量を容易に把握することができる。
（５）資料残余がある場合は、透明粘着テープの残り部分を台紙５０に貼着して保存することができる。
（６）採取・搬送・鑑定・保存の何れの段階でも、転写したり移し替えたりする必要がないために、資料のすり替えや取り違えの危険性を排除することが出来る。
【図面の簡単な説明】
【００１２】
【図１】本実施形態に係る微物採取用具を示す斜視図。
【図２】別の本実施態様に係る微物採取用具（支持部と剥離紙が結合している形態）を示す斜視図。
【図３】本実施形態に係る微物採取用具の表面図、裏面図、及び断面図。
【図４】本実施形態に係る微物採取用具の使用図。
【発明を実施するための形態】
【００１３】
以下、本発明を実施するための形態について説明するが、何ら請求項の範囲を限定するものではない。
【００１４】
（本発明の実施態様の微物採取用具の構成）
本発明の実施態様の微物採取用具１００は、図１に示すような形態であり、詳しくは、以下の通りである。
短手方向（縦）２ｃｍ、長手方向（横）３ｃｍの透明粘着テープ１０（例えば、セロファンテープ）の粘着面の両端に支持部２０を付けており、該支持部２０と該透明粘着テープ１０の非粘着面の一部又は全部が透明保護シート３０（例、透明アセテート製の保護シート）により覆われている。
なお、透明粘着テープ１０は、粘着力が水溶液中でも僅かにしか低下しないものが好ましく、さらに、ＤＮＡを抽出するために、ＰＣＲを阻害する物質を含まないものが好ましい。
剥離シート４０（好ましくは、透明な剥離シートであり、シリコン製である）は、着脱自在に台紙５０（例、剥離紙）の一部又は全部に設けられている。
さらに、該透明粘着テープ１０の粘着面の一部が該剥離シート４０に貼着している。
加えて、本発明の実施態様の微物採取用具の作製に際しては、ヒト細胞による汚染を回避するため、好ましくはクリーンベンチを用いて行う。
【００１５】
（本発明の別の実施態様の微物採取用具の構成）
本発明の別の実施態様の微物採取用具１１０は、図２に示すように、支持部２０の一方（参照：図２の２０１）と、剥離シート４０を設けた台紙５０の片端を結合させた形態である。
【００１６】
（本発明の実施態様の微物採取用具の使用方法）
本発明の微物採取用具１００の使用方法は、以下の手順であるが特に限定されない。
（１）図３に示すように、支持部２０の裏面（参照：図３の矢印３０１）に採取番号を記載する。
（２）透明保護シート３０に一部又は全部が覆われている透明粘着テープ１０を、剥離シート４０が設けられた台紙５０から剥がす｛参照：図４（１）｝。
（３）該透明粘着テープ１０を、資料採取箇所を覆うように密着させる｛参照：図４（２）｝。
（４）該透明粘着テープ１０を該透明保護シート３０の上から数回〜数十回強く押しつけることにより、該透明粘着テープ１０の粘着面に資料を付着させることにより、該資料を採取する｛参照：図４（３）｝。
（５）上記（４）の資料採取後は、剥離シート４０を台紙５０から剥がし｛参照：図４（４）｝、該透明粘着テープ１０を台紙５０に貼着して、該透明粘着テープ１０の粘着面を保護する｛参照：図４（５）｝。
【００１７】
（採取した資料の鑑定方法）
ＤＮＡ型鑑定では、透明保護シート３０越しに、実体顕微鏡や生物顕微鏡を用いて採取した資料を観察する。観察後において、使用する資料の量が決まったら、台紙５０から透明粘着テープ１０を剥がし、さらに該透明粘着テープ１０の非粘着面を覆っている透明保護シート３０を捲る。
加えて、必要とする資料量に合わせて透明粘着テープ１０を切り取り、さらに、直接、プラスチック製遠心チューブに入れる。次に、試薬を該チューブに加えた後に、ＤＮＡを抽出する。すなわち、本発明の微物採取用具で採取した微物を含む透明粘着テープ１０の前処理は不要である。
さらに、資料残余がある場合は、透明粘着テープ１０の残り部分を保護シート３０で再び覆い、台紙５０に貼着して保存することができる。
【００１８】
（本発明の別の実施態様の微物採取用具の使用方法）
本発明の微物採取用具１１０の使用方法は、以下の手順であるが特に限定されない。
（１）採取者は、台紙５０と結合していない方の支持部２０を掴んで、透明粘着テープ１０を剥離シート４０から剥がす。
（２）該透明粘着テープ１０を、資料採取箇所を覆うように密着させる。
（３）該透明粘着テープ１０を該透明保護シート３０の上から数回〜数十回強く押しつけることにより、該透明粘着テープ１０の粘着面に資料を付着させることにより、該資料を採取する。
（４）上記（３）の資料採取後は、保護シート３０で覆われた透明粘着テープ１０を、剥離シート４０を剥がした台紙５０に貼着し、該透明粘着テープ１０の粘着面を保護する。
なお、微物採取用具１１０は、台紙５０と透明粘着テープ１０が一体化しているため、資料採取時やＤＮＡ型鑑定後に資料残余が生じた場合でも台紙５０を紛失しない。
【００１９】
（本発明の微物）
本発明の微物は、組織片、細胞片、塗膜片、金属片、プラスチック片、及び／又は、繊維片を対象とするが特に限定されない。より詳しくは、皮膚細胞、口腔内細胞、鼻汁斑、精液斑，白色繊維片、飛沫血痕、黒色短毛，黒色若しくは藍色繊維片を例示するが特に限定されない。
【００２０】
（本発明の微物採取用具の特徴）
採取者は、本発明の微物採取用具の支持部２０を掴んで資料採取作業を行うため透明粘着テープ１０の粘着面に触れる恐れがない。
透明粘着テープ１０は、被採取箇所に圧着する際には、透明保護シート３０の上から押し付けられるために非粘着面にも触れる必要がなく、採取者の細胞が混入する危険性がない。
さらに、資料採取後は、粘着テープ１０の粘着面を、剥離シート４０を剥がした台紙５０に貼着して保存するため、異物が混入する可能性はほとんどない。
【００２１】
皮膚細胞、口腔内細胞、鼻汁斑、精液斑，白色繊維片が微物である場合には、好ましくは台紙５０の色は濃色である。また、飛沫血痕、黒色短毛，黒色若しくは藍色繊維片が微物である場合には、好ましくは台紙５０の色は淡色である。
このように採取する微物により、台紙５０の色を変えることにより、採取された微物の形状を肉眼で確認し易く立証措置も容易に行える。
さらに、 実体顕微鏡や生物顕微鏡を用いて採取資料を観察することができるため，採取された資料量を確認することができ、ＤＮＡ型鑑定に必要な細胞数を容易に推定することができる。
【００２２】
ＤＮＡ型鑑定を行う場合は、台紙５０から剥がした透明粘着テープ１０の非粘着面を覆っている透明保護シート３０を捲って、透明粘着テープ１０の全体又は一部を切り取り、直接ＤＮＡ抽出を行うことが出来る。よって、採取した全ての細胞を鑑定に使用することが可能である。
【００２３】
ＤＮＡ型鑑定において、資料残余が生じた場合は、残った透明粘着テープ１０を再度台紙５０に貼着し、透明保護シート３０を戻して粘着テープの非粘着面を覆うことで、鑑定人の細胞が混入する危険性を排して長期に保存することが出来る。
さらに、本発明の微物採取用具を用いて採取された資料は、採取・搬送・鑑定・保存の何れの段階でも、転写したり移し替えたりする必要がないために、資料のすり替えや取り違えの危険性を排除することが出来る。
【００２４】
以下、実施例を挙げて本発明を詳細に説明するが、本発明の範囲はこれらの実施例により限定されるものではない。
【実施例１】
【００２５】
（微物採取用具によるＤＮＡ検出）
使用済み長袖シャツの袖口・襟部、使用済みズックの靴ひも・中敷き、使用済み綿手袋の外側・内側、布製椅子の背もたれ、及び、清浄なガラス片に付着した指紋から、微物採取用具１００及び微物採取用具１１０を用いて細胞片を採取し、採取した全量を用いてＤＮＡを抽出した。
【００２６】
上記抽出したＤＮＡ抽出液の１０分の１を用いて、市販のマルチプレックスＳＴＲ検査キットであるアイデンティファイラー（ライフテクノロジーズ社製）による型判定を行った。該判定では、すべての資料で正確な型判定結果であった。
さらに、微物採取用具１００及び微物採取用具１１０を用いて得られたＤＮＡ量を比較したところ、両者に有意な差異は認められなかった。
【実施例２】
【００２７】
（微物採取用具によるコントロール実験）
微物採取用具１００及び微物採取用具１１０の未使用の透明粘着テープ（セロファンテープ）全体を用いてＤＮＡが抽出されるかどうかを確認した。該抽出液の全量を用いて、市販のマルチプレックスＳＴＲ検査キットであるアイデンティファイラー（ライフテクノロジーズ社製）による型判定を行った。いずれも型判定可能なピークは得られず、ヒト細胞の付着は検出されなかった。
【００２８】
微物採取用具１００及び微物採取用具１１０の未使用の透明粘着テープ（セロファンテープ全体）を用いて抽出した抽出液の全量を標準ＤＮＡ（１ナノグラム）と共に加えて、市販のマルチプレックスＳＴＲ検査キットであるアイデンティファイラー（ライフテクノロジーズ社製）による型判定を行い、ＤＮＡ抽出液を加えない対照と比較した。いずれの試料も、対照と同じ結果が得られた。
以上により、透明粘着テープであるセロファンテープの材質や粘着剤はＰＣＲを阻害せず、ＤＮＡ型鑑定に影響を及ぼさないことを確認した。
【符号の説明】
【００２９】
１０：透明粘着テープ
２０：支持部
３０：透明保護シート
４０：剥離シート
５０：台紙
６０：長手方向矢印
７０：短手方向矢印
１００：本発明の実施例の微物採取用具
１１０：本発明の別の実施例の微物採取用具
２０１：台紙と結合させた支持部
３０１：矢印
【図１】
0005859295.tif 000002
【図２】
0005859295.tif 000003
【図３】
0005859295.tif 000004
【図４】
0005859295.tif 000005